(57)【要約】      （修正有）【課題】複数の原稿を読み込んで処理する場合、複数の原稿のうち一部を読み込んだ状態で処理を中断し、中断した処理を再開する場合の操作性を向上することが可能な画像処理装置を提供する。【解決手段】画像処理装置は、画像を処理する条件を設定する設定手段と、原稿画像から画像データを生成する画像データ生成手段と、処理条件及び画像データを記憶する記憶手段と、複数の原稿の少なくとも一部を読み取った後、予め定められた条件が満たされた場合、処理条件及び画像データを前記記憶手段に記憶することで退避状態に移行する移行手段と、退避状態に移行された処理の復帰が指示された場合に、記憶された処理条件を反映するように復帰する復帰手段と、復帰された処理条件に基づいて、生成された新たな画像データ及び記憶された画像データに対して、画像処理を実行する画像処理実行手段とを有する。【選択図】図１４
2010103698.tif 000002
【特許請求の範囲】
【請求項１】
画像処理すべき処理条件を設定する設定手段と、
原稿画像を読み取って画像データを生成する画像データ生成手段と、
前記設定手段により設定された処理条件及び前記画像データ生成手段により生成された画像データを記憶する記憶手段と、
複数の原稿の少なくとも一部を読み取った後、予め定められた条件が満たされた場合、前記設定手段により設定された処理条件及び前記画像データ生成手段により生成された画像データを前記記憶手段に記憶することで退避状態に移行する移行手段と、
前記移行手段により退避状態に移行された処理の復帰が指示された場合に、前記記憶手段に記憶された前記処理条件を反映するように復帰する復帰手段と、
前記復帰手段により復帰された処理条件に基づいて、前記画像データ生成手段により生成された新たな画像データ及び前記記憶手段に記憶された画像データに対して、画像処理を実行する画像処理実行手段と
を有する画像処理装置。
【請求項２】
前記移行手段は、
原稿の読み取りを待機している状態で予め定められた時間が経過した場合、前記設定手段により設定された処理条件及び前記画像データ生成手段により生成された画像データを前記記憶手段に記憶して、退避状態に移行する
請求項１に記載の画像処理装置。
【請求項３】
前記移行手段は、
退避状態に移行するよう指示された場合、前記設定手段により設定された処理条件及び前記画像データ生成手段により生成された画像データを前記記憶手段に記憶して、退避状態に移行させる
請求項１に記載の画像処理装置。
【請求項４】
前記記憶手段は、
前記設定手段により設定された処理条件及び前記画像データ生成手段により生成された画像データからなる組合せと、これらの組合せを識別する識別子とを記憶する
請求項１乃至３のいずれかに記載の画像処理装置。
【請求項５】
操作者を識別する情報に基づいて処理権限を取得することにより、認証状態とする認証手段
をさらに有する
請求項１乃至４のいずれかに記載の画像処理装置。
【請求項６】
前記移行手段は、
認証状態を解除するよう指示された場合、前記設定手段により設定された処理条件及び前記画像データ生成手段により生成された画像データを前記記憶手段に記憶して、退避状態に移行させる
請求項５に記載の画像処理装置。
【請求項７】
前記移行手段は、
前記認証手段により認証された操作者とは異なる操作者について、処理権限が取得された場合、前記設定手段により設定された処理条件及び前記画像データ生成手段により生成された画像データを前記記憶手段に記憶して、退避状態に移行させる
請求項５に記載の画像処理装置。
【請求項８】
前記記憶手段は、
前記設定手段により設定された処理条件及び前記画像データ生成手段により生成された画像データからなる組合せと、前記認証手段により認証された操作者の情報とを対応付けて記憶する
請求項５乃至７のいずれかに記載の画像処理装置。
【請求項９】
前記復帰手段は、
前記認証手段により認証された操作者に対応する前記処理条件が前記記憶手段に記憶されている場合に、前記処理条件を反映するように復帰する
請求項８に記載の画像処理装置。
【請求項１０】
受信した操作者を識別する情報に基づいて、操作者の処理権限を判断する第１の通信装置と、前記第１の通信装置に操作者を識別する情報を送信するとともに、前記第１の通信装置から、操作者の処理権限を取得する第２の通信装置とを有する画像処理システムであって、
前記第２の通信装置は、
画像処理すべき処理条件を設定させる設定手段と、
原稿画像を読み取って画像データを生成する画像データ生成手段と、
前記設定手段により設定された処理条件及び前記画像データ生成手段により生成された画像データを記憶する記憶手段と、
複数の原稿の少なくとも一部を読み取った後、予め定められた条件が満たされた場合、前記設定手段により設定された処理条件及び前記画像データ生成手段により生成された画像データを前記記憶手段に記憶して、退避状態に移行させる移行手段と、
前記移行手段により退避状態に移行された処理条件を前記設定手段に設定させるように復帰させる復帰手段と、
前記復帰手段により復帰された処理条件に基づいて、前記画像データ生成手段により生成された新たな画像データ及び前記記憶手段に記憶された画像データに対して、画像処理を実行する画像処理実行手段と
を有する画像処理システム。
【請求項１１】
操作者を識別する情報に基づいて処理権限を取得することにより、認証状態とするステップと、
画像処理すべき処理条件を設定するステップと、
原稿画像を読み取って画像データを生成するステップと、
設定された処理条件及び生成された画像データを記憶するステップと、
複数の原稿の少なくとも一部を読み取った後、予め定められた条件が満たされた場合、設定された処理条件及び読み取られた画像データを記憶することで退避状態に移行するステップと、
退避状態に移行された処理条件を設定させるように復帰するステップと、
復帰された処理条件に基づいて、生成された新たな画像データ及び前記記憶された画像データに対して、画像処理を実行するステップと
をコンピュータに実行させるプログラム。
【発明の詳細な説明】
【技術分野】
【０００１】
本発明は、画像処理装置、画像処理システム及びプログラムに関する。
【背景技術】
【０００２】
特許文献１には、原稿の読取動作の終了時に、次の読取原稿の読取動作を続行するか否かを決定する画像処理装置が開示されている。
特許文献２には、原稿を１枚読み込む度に、次の原稿があるか否か、及び、動作を中断するか否かを、操作画面を介してユーザに確認させる画像形成装置が開示されている。
特許文献３には、紙詰まり等の印刷作業の中断が起こった場合に、記録媒体に保存した画像データを失わずにジョブそのものを中断する画像処理装置が開示されている。
特許文献４には、画像読取動作中に電源の遮断・再投入がなされた場合に、前回画像読取を行った際の読取設定情報や読取が完了した原稿の枚数の情報を引き継いで、画像の読取を行う画像読取装置が開示されている。
【０００３】
【特許文献１】特開平１０−２７１２５０号公報
【特許文献２】特開平１１−２１２４０３号公報
【特許文献３】特開平１０−２７１２６８号公報
【特許文献４】特開２００７−２０１７０９号公報
【発明の開示】
【発明が解決しようとする課題】
【０００４】
本発明は、複数の原稿を読み込んで処理する場合、複数の原稿のうち一部を読み込んだ状態で処理を中断し、中断した処理を再開する場合の操作性を向上することが可能な画像処理装置を提供する。
【課題を解決するための手段】
【０００５】
[画像処理装置]
請求項１に係る本発明は、画像処理すべき処理条件を設定する設定手段と、原稿画像を読み取って画像データを生成する画像データ生成手段と、前記設定手段により設定された処理条件及び前記画像データ生成手段により生成された画像データを記憶する記憶手段と、複数の原稿の少なくとも一部を読み取った後、予め定められた条件が満たされた場合、前記設定手段により設定された処理条件及び前記画像データ生成手段により生成された画像データを前記記憶手段に記憶することで退避状態に移行する移行手段と、前記移行手段により退避状態に移行された処理の復帰が指示された場合に、前記記憶手段に記憶された前記処理条件を反映するように復帰する復帰手段と、前記復帰手段により復帰された処理条件に基づいて、前記画像データ生成手段により生成された新たな画像データ及び前記記憶手段に記憶された画像データに対して、画像処理を実行する画像処理実行手段とを有する画像処理装置である。
【０００６】
請求項２に係る本発明は、前記移行手段が、原稿の読み取りを待機している状態で予め定められた時間が経過した場合、前記設定手段により設定された処理条件及び前記画像データ生成手段により生成された画像データを前記記憶手段に記憶して、退避状態に移行する請求項１に記載の画像処理装置である。
【０００７】
請求項３に係る本発明は、前記移行手段が、退避状態に移行するよう指示された場合、前記設定手段により設定された処理条件及び前記画像データ生成手段により生成された画像データを前記記憶手段に記憶して、退避状態に移行させる請求項１に記載の画像処理装置である。
【０００８】
請求項４に係る本発明は、前記記憶手段が、前記設定手段により設定された処理条件及び前記画像データ生成手段により生成された画像データからなる組合せと、これらの組合せを識別する識別子とを記憶する請求項１乃至３のいずれかに記載の画像処理装置である。
【０００９】
請求項５に係る本発明は、操作者を識別する情報に基づいて処理権限を取得することにより、認証状態とする認証手段をさらに有する請求項１乃至４のいずれかに記載の画像処理装置である。
【００１０】
請求項６に係る本発明は、前記移行手段が、認証状態を解除するよう指示された場合、前記設定手段により設定された処理条件及び前記画像データ生成手段により生成された画像データを前記記憶手段に記憶して、退避状態に移行させる請求項５に記載の画像処理装置である。
【００１１】
請求項７に係る本発明は、前記移行手段が、前記認証手段により認証された操作者とは異なる操作者について、処理権限が取得された場合、前記設定手段により設定された処理条件及び前記画像データ生成手段により生成された画像データを前記記憶手段に記憶して、退避状態に移行させる請求項５に記載の画像処理装置である。
【００１２】
請求項８に係る本発明は、前記記憶手段が、前記設定手段により設定された処理条件及び前記画像データ生成手段により生成された画像データからなる組合せと、前記認証手段により認証された操作者の情報とを対応付けて記憶する請求項５乃至７のいずれかに記載の画像処理装置である。
【００１３】
請求項９に係る本発明は、前記復帰手段が、前記認証手段により認証された操作者に対応する前記処理条件が前記記憶手段に記憶されている場合に、前記処理条件を反映するように復帰する請求項８に記載の画像処理装置である。
【００１４】
[画像処理システム]
請求項１０に係る本発明は、受信した操作者を識別する情報に基づいて、操作者の処理権限を判断する第１の通信装置と、前記第１の通信装置に操作者を識別する情報を送信するとともに、前記第１の通信装置から、操作者の処理権限を取得する第２の通信装置とを有する画像処理システムであって、前記第２の通信装置は、画像処理すべき処理条件を設定させる設定手段と、原稿画像を読み取って画像データを生成する画像データ生成手段と、前記設定手段により設定された処理条件及び前記画像データ生成手段により生成された画像データを記憶する記憶手段と、複数の原稿の少なくとも一部を読み取った後、予め定められた条件が満たされた場合、前記設定手段により設定された処理条件及び前記画像データ生成手段により生成された画像データを前記記憶手段に記憶して、退避状態に移行させる移行手段と、前記移行手段により退避状態に移行された処理条件を前記設定手段に設定させるように復帰させる復帰手段と、前記復帰手段により復帰された処理条件に基づいて、前記画像データ生成手段により生成された新たな画像データ及び前記記憶手段に記憶された画像データに対して、画像処理を実行する画像処理実行手段とを有する画像処理システムである。
【００１５】
[プログラム]
請求項１１に係る本発明は、操作者を識別する情報に基づいて処理権限を取得することにより、認証状態とするステップと、画像処理すべき処理条件を設定するステップと、原稿画像を読み取って画像データを生成するステップと、設定された処理条件及び生成された画像データを記憶するステップと、複数の原稿の少なくとも一部を読み取った後、予め定められた条件が満たされた場合、設定された処理条件及び読み取られた画像データを記憶することで退避状態に移行するステップと、退避状態に移行された処理条件を設定させるように復帰するステップと、復帰された処理条件に基づいて、生成された新たな画像データ及び前記記憶された画像データに対して、画像処理を実行するステップとをコンピュータに実行させるプログラムである。
【発明の効果】
【００１６】
請求項１に係る本発明によれば、複数の原稿を読み込んで処理する場合に、複数の原稿のうち一部を読み込んだ状態で処理を中断し、中断した処理を再開することができる。
【００１７】
請求項２に係る本発明によれば、複数の原稿を読み込んで処理する場合に、複数の原稿のうち一部を読み込んだ状態で処理を中断し、中断した処理を再開するとき、すでに読み取られた画像データが誤って利用されることを防止することができる。
【００１８】
請求項３に係る本発明によれば、複数の原稿を読み込んで処理する場合に、複数の原稿のうち一部を読み込んだ状態で処理を中断し、中断した処理を再開することができる。
【００１９】
請求項４に係る本発明によれば、本構成を採用しない場合に比べて、原稿画像を処理する処理条件及び読み取られた画像データの組合せを容易に識別することができる。
【００２０】
請求項５に係る本発明によれば、複数の原稿を読み込む場合に、セキュリティを向上することができる。
【００２１】
請求項６に係る本発明によれば、複数の原稿を読み込んで処理する場合に、複数の原稿のうち一部を読み込んだ状態で処理を中断し、中断した処理を再開するとき、すでに読み取られた画像データが誤って利用されることを防止することができる。
【００２２】
請求項７に係る本発明によれば、複数の原稿を読み込んで処理する場合に、複数の原稿のうち一部を読み込んだ状態で処理を中断し、中断した処理を再開するとき、すでに読み取られた画像データが異なる操作者によって誤って利用されることを防止することができる。
【００２３】
請求項８に係る本発明によれば、本構成を採用しない場合に比べて、複数の原稿を読み込んで処理する場合に、複数の原稿のうち一部を読み込んだ状態で処理を中断し、中断した処理を再開するときの操作性を向上することができる。
【００２４】
請求項９に係る発明によれば、本構成を採用しない場合に比べて、認証された操作者が、途中まで読み込んだ原稿に対する処理を再開するときの操作性を向上することができる。
【００２５】
請求項１０に係る本発明によれば、複数の原稿を読み込んで処理する場合に、複数の原稿のうち一部を読み込んだ状態で処理を中断し、中断した処理を再開することができる。
【００２６】
請求項１１に係る本発明によれば、複数の原稿を読み込んで処理する場合に、複数の原稿のうち一部を読み込んだ状態で処理を中断し、中断した処理を再開することができる。
【発明を実施するための最良の形態】
【００２７】
コピー機、スキャナ、ファクシミリ及びこれらの機能を有するいわゆる複合機では、複数の原稿を複数回に分けて読み込むことがある。例えば、複合機を使用して複数枚の原稿をファックス送信するユーザは、原稿の一部を読込み中及び読込み後に表示される図１のタッチパネルディスプレイにおいて、[次原稿あり]ボタンを押下することによって、複合機に、次に読み込む原稿があることを認識させ、複数回に分けて読み込まれた原稿をまとめて１つのデータとしてファックス送信させる場合がある。同様に、複数回に分けて読み込まれた原稿を、１つのデータとして、コピー及びスキャンさせることもできる。
典型的な例としては、原稿載置台上に原稿を一枚ずつセットして、順次読み込ませる場合に、一枚の原稿がスキャンされた後、次の原稿のセットまでの間や、複数枚の原稿からなる原稿束を自動原稿送り装置にセットして順次読み込む場合に、原稿束を読み込んでいる間又は原稿束を読み込んだ後、次の原稿束をセットするまでの間などに、図１に示した次の原稿の読み取りを待機する画面が表示されることがある。
【００２８】
以下、このように次の原稿の読み取りを待機している状態に本発明を適用した場合の、本発明の実施形態について、図面を参照して説明する。なお、以下の説明は本発明を実施するのにあたっての一例に過ぎず、本発明が以下に説明される事項に限定されるわけではなく必要に応じて適宜変更可能である。
【００２９】
[第１の実施形態]
以下、本発明の第１の実施形態を説明する。
図２において、画像形成装置１０は、プリントユニット１２及びスキャンユニット１４を有し、プリントユニット１２は、例えば３段の記録媒体供給トレイ１６を有し、これら記録媒体供給トレイ１６のそれぞれには供給ヘッド１８が設けられている。記録媒体供給トレイ１６の一つが選択されると、供給ヘッド１８が作動して選択された記録媒体供給トレイ１６から記録媒体供給路２０を介してプリントエンジン２２に供給される。
【００３０】
プリントエンジン２２は、例えば白黒兼用のカラーゼログラフィからなり、イエロー、マゼンダ、シアン及びブラックの各感光体２４が併設されていると共に、中間転写ベルト２６が設けられている。各感光体２４の周囲には、帯電装置、露光装置、現像装置、一次転写装置及びクリーニング装置など（不図示）が配置され、各感光体２４に形成されたトナー像が中間転写ベルト２６に転写される。白黒設定された場合は、ブラックのみが作動可能であるようにされる。中間転写ベルト２６のトナー像は、二次転写ロールにより、送られてきた記録媒体に転写され、定着装置３０により定着され、このトナー像が定着された記録媒体が記録媒体排出路３２を通って排出トレイ３４に排出される。
【００３１】
ただし、両面印刷が設定された場合は、定着装置３０により表面が定着された記録媒体は、記録媒体排出路３２から反転装置３６に送られ、この反転装置３６で反転され、記録媒体反転路３８に送られ、再び記録媒体供給路２０に戻され、プリントエンジン２２に送られて裏面の印刷がなされる。
【００３２】
スキャンユニット１４は、両面原稿の読み取りが可能なＤＡＤＦ等の自動原稿送り装置４０を有し、この自動原稿送り装置４０により原稿はプラテン４２に送られ、このプラテン４２上でＣＣＤ等からなる読取部４４により原稿の画像が読み取られる。自動原稿送り装置４０に原稿がセットされたか否かを検出する原稿セット検出器４６が設けられている。また、自動原稿送り装置４０はプラテンカバーを兼ねており、このプラテンカバーを開けることにより原稿をプラテン４２上に置くことができる。このプラテンカバーの開閉は、プラテンカバー開閉検出器４８により検出できるようになっている。また、この画像形成装置１０は、公衆回線へ接続されたファクシミリ用のモデムと、ＬＡＮ等のネットワークに接続されるネットワーク通信装置が設けられている。
【００３３】
ユーザインターフェース装置５０（以下、ＵＩ装置５０という。）は、画像形成装置１０と一体に、又はネットワークを介して設けられ、画像形成装置１０の処理内容を選択し、かつ表示するようになっている。
【００３４】
図３において、画像形成装置１０の制御回路例が示され、上記ＵＩ装置５０と共に、ＣＰＵ５２、システムメモリ５４、画像蓄積メモリ５６、入出力インターフェース５８、スキャンインターフェース６０、プリントインターフェース６２、ネットワーク通信インターフェース６４及びファクシミリ用のモデムインターフェース６６がバス接続されている。ＣＰＵ５２は、システムメモリ５４に書き込まれたプログラムに従って各回路を制御するようになっている。ＵＩ装置５０からの操作入力データはＣＰＵ５２に伝達され、ＣＰＵ５２からの表示画像データがＵＩ装置５０に伝達するようにしてある。画像蓄積メモリ５６は、画像処理装置１０に取り込まれた画像を一時的に記憶するためのものである。入出力インターフェース５８には、上記原稿セット検出器４６からの原稿セット検出信号と、プラテンカバーの開閉を検出するプラテンカバー開閉検出器４８からのプラテンカバー開閉信号が入力される。
【００３５】
図４において、画像形成装置１０におけるジョブ管理プログラムの内容が示されている。
ここで、ジョブとは、プリントユニット１２及びスキャンユニット１４などが同一のパラメータで処理可能な処理単位である。
ここでは、ジョブ管理プログラムは、画像形成装置１０内に予め記憶されるとして説明しているが、例えば、ＣＤ−ＲＯＭなどの記憶媒体に格納して提供したり、ＬＡＮなどの通信手段を介して提供したりしてもよい。
入力解析部６８は、ユーザが上記ＵＩ装置５０に対して行った座標位置を解析し、解析結果をジョブ管理部７０に伝達する。ジョブ管理部７０は、入力解析部６８で解析されたＵＩ装置５０からの操作入力データが入力される。
【００３６】
このジョブ管理部７０は、ジョブ管理テーブル７２を有し、ジョブ管理テーブル７２に基づいてジョブリストを作成する。ジョブ管理テーブル７２は、実行中のジョブを順番に記憶する実行中キュー７４、実行待ちのジョブを順番に記憶する実行待ちキュー７６、及び保留中のジョブを順番に記憶する実行保留キュー７８を有しており、ジョブ管理部７０は、これらキューを制御するようになっている。実行中キュー７４にあるジョブはジョブ実行部８０に伝達されて実行され、実行待ちキュー７６にあるジョブは実行中キュー７４に移され、実行保留キュー７８にあるジョブは実行が保留される。
ジョブ実行は、ユーザがＵＩ装置５０のスタートボタン（後述）を押下することによって行われる。また、ユーザが、スタートボタンを押下した後に次原稿ありボタン（後述）を押下した場合には、実行待ちキュー７６にあるジョブは、予め定められた（以下、「一定」と記載）時間内に読み込まれた次の原稿と最初に読み込まれた原稿とがまとめて処理されるよう再構成された後、実行中キュー７４に移される。ユーザが、スタートボタンを押下した後に保存ボタン（後述）を押下した場合には、実行待ちキュー７６にあるジョブは、復元ボタン（後述）が押下された後、一定時間内に読み込まれた次の原稿があれば、次の原稿と最初に読み込まれた原稿とがまとめて処理されるよう再構成された後、実行中キュー７４に移される。
ジョブ実行保留は、ユーザがＵＩ装置５０のキャンセルボタン（後述）を押下することによって行われ、実行保留キュー７８にあるジョブは、一定時間を経過した場合及び一定の実行保留ジョブ数を越えた場合などに、消去される。
【００３７】
ジョブ実行部８０は、ジョブ管理部７０で作成されたジョブリストに基づいてスキャン制御部８２、プリント制御部８４、ネットワーク通信制御部８６及びモデム制御部８８を制御する。スキャン制御部８２は、プリント制御部８４、ネットワーク通信制御部８６及びモデム制御部８８は、それぞれ前述したスキャンインターフェース６０、プリントインターフェース６２、ネットワーク通信インターフェース６４及びモデムインターフェース６６を制御し、画像を読み取り、蓄積し、送受信し、プリントするようになっている。また、イベント検出部９０は、スキャン制御部８２、プリント制御部８４、ネットワーク通信制御部８６及びモデム制御部８８から上げられる読み取り機能、蓄積機能、受信機能、送信機能及びプリント機能の実行の開始、終了等のイベントを検知し、ジョブ管理部７０に検出されたデータを伝達する。
【００３８】
ＵＩ画像生成部９２は、入力解析部６８とジョブ管理部７０とからの制御データを受け取り、それぞれに対応した制御信号を上記ＵＩ装置５０に送信し、ＵＩ装置５０において表示するようになっている。
【００３９】
図５乃至８において、前述したＵＩ装置５０の操作パネル９４が示されている。
この操作パネル９４は、押しボタン群を有する押しボタン部９６と、液晶表示装置及びタッチパネルを組み合わせたタッチパネル表示部９８とを有する。
【００４０】
図５はメニュー画面を示す。メニュー画面は、画像形成装置１０の電源（不図示）をオンにした場合などに表示される初期画面である。
図５において、押しボタン部９６は、数字を設定するテンキー１００、設定をクリアするクリアボタン１０２及び操作のスタートを指示するスタートボタン１０４を有する。タッチパネル表示部９８は、画像形成装置１０が備える各種機能を提供するサービスボタンを表示するサービスボタン表示部１０６及び復元ボタン１１４を有する。ここでは、サービスボタンは、コピーボタン１０８、ファックスボタン１１０及びスキャナボタン１１２である。
コピーボタン１０８は、原稿をコピーする作業を開始する。
ファックスボタン１１０は、原稿をファックス送信する作業を開始する。
スキャナボタン１１２は、原稿をスキャンする作業を開始する。
復元ボタン１１４は、保存ボタン（後述）を押下することにより保存された画像データ及びパラメータを復元する。復元ボタン１１４は、次に読み込む原稿がある場合には、次の原稿を読み込んで生成される画像データと保存された画像データとをまとめて１つのデータとして、保存されたパラメータに基づいて、上記のジョブ実行部８０に処理させる。ここで、パラメータの復元とは、過去に保存されたパラメータを反映した状態に復帰させることであり、復元されたパラメータに基づいて、次に読み込む原稿を読み取ることができる状態にすることを意味する。また、保存された画像データの復元とは、過去に保存された画像データを、次の原稿に基づく画像データとまとめ、まとめたデータに対してジョブを実行することができる状態にすることを意味する。以下、他の実施形態においても、パラメータの復元及び画像データの復元は、このような意味を含むものとする。
【００４１】
図６は、パラメータ設定画面を示す。上記のメニュー画面でサービスボタンを押下することにより、メニュー画面は、パラメータ設定画面に切り替えられる。ここでは、メニュー画面でファックスボタン１１０が押下され、メニュー画面が、ファックス送信のためのパラメータ設定画面に切り替えられている。
押しボタン部９６は、メニュー画面と同じく、テンキー１００、クリアボタン１０２及びスタートボタン１０４を有する。タッチパネル表示部９８は、サービス表示部１１６、基本タブ１１８、読取方法タブ１２０、送信方法タブ１２２、その他タブ１２４及び閉じるボタン１３６を有する。
さらに、基本タブ１１８は、宛先設定部１２６、送信濃度設定ボタン１２８、両面原稿設定ボタン１３０、原稿画質設定ボタン１３２及び送信画質設定ボタン１３４を有する。基本タブ１１８と同様、読取方法タブ１２０、送信方法タブ１２２及びその他タブ１２４もまた、各種ボタン（不図示）を有する。
【００４２】
サービス表示部１１６は、メニュー画面で押下されたサービスボタンに対応するサービス名を表示する。ここでは、メニュー画面でファックスボタン１１０が押下されたので、'ファックス'と表示されている。
基本タブ１１８において、宛先設定部１２６は、テンキー１００からの入力を受け付け、ファックス送信先として設定及び表示する。
送信濃度設定ボタン１２８、両面原稿設定ボタン１３０、原稿画質設定ボタン１３２及び送信画質設定ボタン１３４は、前述の自動原稿送り装置４０又はプラテン４２にセットされた原稿を読み込む条件を設定する。
閉じるボタン１３６は、表示されている画面を閉じ、メニュー画面を表示する。ここでは、閉じるボタン１３６は、パラメータ設定画面を閉じ、メニュー画面を表示する。
【００４３】
図７は、原稿読込画面を示す。上記のパラメータ設定画面でスタートボタン１０４を押下することにより、パラメータ設定画面は、原稿読込画面に切り替えられる。ここでは、ファックス送信のためのパラメータが設定された後、ファックス送信される原稿を読み込む原稿読込画面が表示されている。原稿読込画面は、原稿の読込みが開始されてから、原稿の読込みが完了して一定時間を経過するまで表示される。
押しボタン部９６は、前述のメニュー画面と同じく、テンキー１００、クリアボタン１０２及びスタートボタン１０４を有する。タッチパネル表示部９８は、パラメータ表示部１３８、ページ数表示部１４０、次原稿なしボタン１４２、次原稿ありボタン１４４、キャンセルボタン１４６、保存ボタン１４８及び閉じるボタン１３６を有する。
【００４４】
パラメータ表示部１３８は、上記のパラメータ設定画面で設定されたパラメータを表示する。ここでは、セットした原稿をＡ４サイズの標準画質で読み込み、０１２３４５６７８９にファックス送信することが表示されている。
ページ数表示部１４０は、読み込んでいる（又は読み込んだ）原稿ページ数を表示する。
次原稿なしボタン１４２は、前述のジョブ管理部７０に、読み込んでいる（又は読み込んだ）原稿の次に読み込まれる原稿がないことを認識させる。さらに、次原稿なしボタン１４２が選択された状態で、後続する処理を実行する指示がなされた場合には、前述のジョブ実行部８０に、パラメータ設定画面で設定されたパラメータに基づいて、読み込んだ原稿に基づく画像データを処理させる。後続する処理を実行する指示は、例えば、スタートボタンの押下であり、一定時間の経過によって後続する処理を実行する指示がなされたと判断してもよい。
次原稿ありボタン１４４は、ジョブ管理部７０に、読み込んでいる（又は読み込んだ）原稿の次に読み込まれる原稿があることを認識させる。次原稿ありボタンが選択された状態で、次の原稿を読み込む指示がなされると、ジョブ実行部８０は次の原稿を読み込む。次の原稿を読み込む指示は、例えば、スタートボタンの押下などのユーザからの指示であり、新しい原稿のセットを検知することによって、次の原稿を読み込む指示としてもよい。さらに、ジョブ実行部８０に、パラメータ設定画面で設定されたパラメータに基づいて、すでに読み込まれた原稿に基づく画像データと、次に読み込む原稿に基づく画像データとをまとめて１つのデータとして処理させる。
キャンセルボタン１４６は、原稿の読込みを中止して、メニュー画面に切り替える。
保存ボタン１４８は、読み込んでいる（又は読み込んだ）原稿に基づく画像データをすぐには処理せず、パラメータ設定画面で設定されたパラメータ及び読み込んでいる（又は読み込んだ）原稿に基づく画像データを保存することをジョブ管理部７０に認識させる。
なお、本実施の形態では、原稿の読込みが完了してから一定時間内に、いずれのボタンも押下されなかった場合には、保存ボタン１４８が押下されたものとする。
【００４５】
図８は、サービス実行画面を示す。上記の原稿読込画面で次原稿なしボタン１４２を押下することにより、原稿読込画面は、サービス実行画面に切り替えられる。ここでは、ファックス送信を実行するサービス実行画面が表示されている。
押しボタン部９６は、前述のメニュー画面と同じく、テンキー１００、クリアボタン１０２及びスタートボタン１０４を有する。タッチパネル表示部９８は、実行サービス表示部１５０、パラメータ表示部１３８、ページ数表示部１５２、キャンセルボタン１５４及び閉じるボタン１３６を有する。
実行サービス表示部１５０は、実行中のサービス名を表示する。ここでは、ファックス送信が実行されているので、ファックス送信中と表示されている。
ページ数表示部１５２は、原稿読込画面で読み込まれた原稿ページ数を表示する。
キャンセルボタン１５４は、実行中のサービスを中止して、メニュー画面に切り替える。
【００４６】
図９は、本発明の第１の実施形態における動作を説明するフローチャートである。
図９に示すように、ステップ１００（Ｓ１００）において、図５に示したメニュー画面が表示され、ボタン押下が受け付けられる。
ステップ１０２（Ｓ１０２）において、メニュー画面のボタンが押下されたか否かが判定され、いずれかのボタンが押下されたと判定された場合には、ステップ１０４（Ｓ１０４）の処理に進む。一方、そうでない場合には、ステップ１０２（Ｓ１０２）の判定を繰り返す。
ステップ１０４（Ｓ１０４）において、ステップ１０２（Ｓ１０２）で押下されたボタンの種別が、前述のサービスボタン表示部１０６に表示されるサービスボタン及び復元ボタン１１４のいずれであるかが判定され、サービスボタンが押下されたと判定された場合には、ステップ１０６（Ｓ１０６）の処理に進む。一方、そうでない場合には、ステップ１３０（Ｓ１３０）の処理に進む。
【００４７】
ステップ１０６（Ｓ１０６）において、図６に示したパラメータ設定画面が表示され、ステップ１０８（Ｓ１０８）の処理に進む。
ステップ１０８（Ｓ１０８）において、サービスを実行するためのパラメータの入力が受け付けられる。
ステップ１１０（Ｓ１１０）において、前述のスタートボタン１０４が押下されたか否かが判定され、スタートボタン１０４が押下されたと判定された場合には、ステップ１１２（Ｓ１１２）の処理に進む。一方、そうでない場合には、ステップ１１０（Ｓ１１０）の判定を繰り返す。
ステップ１１２（Ｓ１１２）において、セットされた原稿の読込みが開始され、ステップ１１４（Ｓ１１４）の処理に進む。
【００４８】
ステップ１１４（Ｓ１１４）において、図７に示した原稿読込画面が表示され、ステップ１１６（Ｓ１１６）の処理に進む。
ステップ１１６（Ｓ１１６）において、ステップ１１２（Ｓ１１２）で開始された原稿読込みが完了してから、一定時間を経過したか否かが判定され、一定時間を経過したと判定される場合には、ステップ１２６（Ｓ１２６）の処理に進む。一方、そうでない場合には、ステップ１１８（Ｓ１１８）の処理に進む。
ステップ１１８（Ｓ１１８）において、原稿読込画面に表示されるボタンが押下されたか否かが判定され、いずれかのボタンが押下されたと判定された場合には、ステップ１２０（Ｓ１２０）の処理に進む。一方、そうでない場合には、ステップ１１６（Ｓ１１６）の処理に戻る。
【００４９】
ステップ１２０（Ｓ１２０）において、ステップ１１８（Ｓ１１８）で選択されたボタンの種別が、前述した次原稿ありボタン１４２、次原稿なしボタン１４４、キャンセルボタン１４６及び保存ボタン１４８のいずれであるかが判定される。
次原稿ありボタン１４２が選択されたと判定された場合には、ステップ１１０（Ｓ１１０）の処理に戻る。次原稿なしボタン１４４が選択されたと判定された場合には、ステップ１２２（Ｓ１２２）の処理に進む。キャンセルボタン１４６が選択されたと判定された場合には、ステップ１２４（Ｓ１２４）の処理に進む。保存ボタン１４８が選択されたと判定された場合には、ステップ１２６（Ｓ１２６）の処理に進む。
ステップ１２２（Ｓ１２２）において、ステップ１０８（Ｓ１０８）で受け付けられたパラメータに基づいて、ステップ１１２（Ｓ１１２）で読み込まれた原稿に基づく画像データに対して、ステップ１０４（Ｓ１０４）で選択されたサービスボタンに対応するジョブが実行され、ステップ１２８（Ｓ１２８）の処理に進む。
【００５０】
ステップ１２４（Ｓ１２４）において、ステップ１０８（Ｓ１０８）で受け付けられたパラメータ入力に基づいて、ステップ１１２（Ｓ１１２）で読み込まれた原稿に基づく画像データを処理するジョブが中止され、ステップ１２８（Ｓ１２８）の処理に進む。
ステップ１２６（Ｓ１２６）において、ステップ１０８（Ｓ１０８）で受け付けられたパラメータ及びステップ１１２（Ｓ１１２）で読み込まれた原稿に基づく画像データが保存され、ステップ１２８（Ｓ１２８）の処理に進む。
【００５１】
ステップ１２８（Ｓ１２８）において、図５に示したメニュー画面が表示される。
ステップ１３０（Ｓ１３０）において、パラメータ及びすでに読み込まれた原稿に基づく画像データが保存されているか否か、つまり、以前にステップ１２６（Ｓ１２６）の処理が行われたか否かが判定される。パラメータ及び画像データが保存されていると判定された場合には、ステップ１３２（Ｓ１３２）の処理に進む。一方、そうでない場合には、ステップ１００（Ｓ１００）の処理に戻る。
ステップ１３２（Ｓ１３２）において、保存されたパラメータ及び画像データが復元され、ステップ１１０（Ｓ１１０）の処理に進み、新たな原稿を読み取るため、スタートボタンの押下を待機する状態になる。ここで、ステップ１３２（Ｓ１３２）におけるパラメータの復元とは、ステップ１０８（Ｓ１０８）で受け付けられたパラメータに基づいて、ステップ１１２（Ｓ１１２）で読み込まれる原稿を読み取ることができる状態にすることである。また、ステップ１３２（Ｓ１３２）における画像データの復元とは、すでに保存されている画像データを、ステップ１１２（Ｓ１１２）で読み込まれる原稿に基づく画像データとまとめ、まとめたデータに対してジョブを実行することができる状態にすることである。
【００５２】
以上説明したように、本実施形態における画像処理装置１０は、すでに読み込んだ原稿に基づく画像データ及び読込み時に設定したパラメータを保存するので、原稿を読み込んでから一定の時間が経過したとしても、次に読み込む原稿がある場合には、ユーザは、同じパラメータを設定し、同じ原稿を読み込む必要がなくなる。
【００５３】
[第２の実施形態]
以下、本発明の第２の実施形態を説明する。
第１の実施形態においては、１つのパラメータ及び画像データの組み合わせが保存及び復元されるが、利用形態によっては、複数のパラメータ及び画像データの組合せを保存及び復元する必要がでてくる。
そこで、本実施形態における画像処理装置１０は、複数のパラメータ及び画像データの組み合わせを識別できるようにする。
【００５４】
図７に示した原稿読込画面の保存ボタン１４８は、例えば、図６に示したパラメータ設定画面で設定されたパラメータ及び読み込んでいる（又は読み込んだ）原稿に基づく画像データに加えて、保存ボタン１４８を押下した日時を保存することをジョブ管理部７０に認識させる。
図１０は、このようにパラメータ、原稿及び日時が保存されている場合に、図５に示したメニュー画面の復元ボタン１１４を押下することにより切り替えられる復元画面を示す。
押しボタン部９６は、前述のメニュー画面と同じく、テンキー１００、クリアボタン１０２及びスタートボタン１０４を有する。タッチパネル表示部９８は、復元ジョブ一覧１５６、復元ボタン１５８及び閉じるボタン１３６を有する。
【００５５】
復元ジョブ一覧１５６は、前述の保存ボタン１４８を押下することにより保存され、復元可能なジョブについて、ジョブの種別及び保存ボタン１４８を押下した日時を一覧表示する。ここでは、２００８年８月２７日８時３３分、２００８年８月２７日９時２４分及び２００８年８月２７日１３時５０分に保存ボタン１４８が押下された、３つのファックス送信ジョブが一覧表示され、２００８年８月２７日８時３３分のファックス送信ジョブがユーザにより選択されている。
復元ボタン１５８は、復元ジョブ一覧１５６に一覧表示されるジョブのうち、選択されたジョブの復元を実行する。
以上、パラメータ及び画像データの組み合わせが、保存ボタン１４８が押下された日時を識別子として識別されるとして説明したが、サービス名及び連番の組み合わせ（例えば、コピー１、コピー２、コピー３）、パラメータの一部（例えば、ファックス送信先）及び任意の文字列（例えば、ユーザ名）を識別子としてもよい。
【００５６】
図１１は、本発明の第２の実施形態における動作を説明するフローチャートである。
ステップ２００〜２２４，２２８，２３０（Ｓ２００〜２２４，２２８，２３０）において、前述した図９のステップ１００〜１２４，１２８，１３０（Ｓ１００〜１２４，１２８，１３０）と同じ処理が行われる。
ステップ２２６（Ｓ２２６）において、ステップ１０８（Ｓ１０８）で受け付けられたパラメータ、ステップ１１２（Ｓ１１２）で読み込まれた原稿に基づく画像データ及びこれらの組合せを識別する識別子（例えば、ステップ２１８（Ｓ２１８）で保存ボタンが押下された日時など）が保存され、ステップ２２８（Ｓ２２８）の処理に進む。
ステップ２３２（Ｓ２３２）において、図１０に示した復元画面が表示され、ステップ２３４（Ｓ２３４）の処理に進む。
ステップ２３４（Ｓ２３４）において、上記の復元ジョブ一覧１５６のうち、復元したいジョブの選択が受け付けられる。
ステップ２３６（Ｓ２３６）において、ステップ２３４（Ｓ２３４）で選択されたジョブに対応するパラメータ及び画像データが復元され、ステップ１１０（Ｓ１１０）の処理に進み、新たな原稿を読み取るため、スタートボタンの押下を待機する状態になる。
【００５７】
[第３の実施形態]
以下、本発明の第３の実施形態を説明する。
第１の実施形態及び第２の実施形態においては、ユーザを区別せず、１つ以上のパラメータ及び画像データの組み合わせを保存及び復元することを前提としているが、利用形態によっては、複数のユーザを区別する必要がでてくる。
そこで、本実施形態における画像処理装置１０は、ユーザを認証する機能によって、複数のユーザを区別して、１つ以上のパラメータ及び画像データの組み合わせを保存及び復元できるようにする。
【００５８】
図１２は、ユーザを認証する機能を備えた操作パネル９４を示す。ここでは、操作パネル９４は、図５に示したメニュー画面を表示している。
操作パネル９４は、図５に示したメニュー画面などと同じく、押しボタン部９６及びタッチパネル表示部９８を有するが、さらに、認証部１６０及び認証解除ボタン１６２を有する。
認証部１６０は、例えば、非接触式カードリーダなどであり、社員証などの非接触式カードを近づけることにより、カードに埋め込まれたＩＣチップの情報を読み出して、予め登録されている正規のユーザであるか否かを判定する。カードを持たない者及び有効でないカードしか持たない者は、正規のユーザとして認められない。一方、有効なカードを持つ者は、正規のユーザとして認められ、メニュー画面から、画像処理装置１０が備える各種機能を利用することができる。
認証解除ボタン１６２は、認証部１６０による認証を無効にすることにより、認証部１６０により認証されたユーザが設定したパラメータ及び読み込んだ原稿に基づく画像データが、意図しない形式（例えば、正規のユーザ以外の者により、正規のユーザが読み込んだ原稿がコピーされるなど）で用いられないようにする。
【００５９】
図７に示した原稿読込画面の保存ボタン１４８は、例えば、図６に示したパラメータ設定画面で設定されたパラメータ、読み込んでいる（又は読み込んだ）原稿に基づく画像データ及び保存ボタン１４８を押下した日時に加えて、上記の認証部１６０により認証されたユーザの名前を保存することをジョブ管理部７０に認識させる。
図１３は、このようにパラメータ、画像データ、日時及びユーザ名が保存されている場合に、図１２に示した認証機能付きメニュー画面の認証部１６０による認証後、復元ボタン１１４を押下することにより切り替えられるユーザ別復元画面を示す。
押しボタン部９６は、前述のメニュー画面と同じく、テンキー１００、クリアボタン１０２及びスタートボタン１０４を有する。タッチパネル表示部９８は、復元ジョブ表示部１６４、復元ジョブ一覧１６６、復元ボタン１５８及び閉じるボタン１３６を有する。
【００６０】
復元ジョブ表示部１６４は、認証部１６０により認証されたユーザがジョブを復元することを分かりやすく表示する。ここでは、ユーザyamadaがジョブを復元することが、'ユーザyamada 復元'と簡潔に表示されている。
復元ジョブ一覧１６６は、認証部１６０により認証されたユーザが保存したジョブについて、ジョブの種別及び前述の保存ボタン１４８を押下した日時を一覧表示する。ここでは、２００８年８月２９日１２時３３分及び２００８年８月２９日１４時２４分にユーザyamadaにより保存ボタン１４８が押下された、２つのファックス送信ジョブが一覧表示され、２００８年８月２９日１２時３３分のファックス送信ジョブが選択されている。
以上、トークンに記憶されているユーザ情報の一部であるユーザ名を保存して、ユーザ別復元画面に表示するとして説明したが、ユーザ情報に含まれる他のユーザ識別情報（例えば、ユーザＩＤなど）を保存して、ユーザ別復元画面に表示してもよい。
【００６１】
図１４は、本発明の第３の実施形態における動作を説明するフローチャートである。
ステップ３００（Ｓ３００）において、図１２に示した認証機能付きメニュー画面が表示される。
ステップ３０２（Ｓ３０２）において、ユーザ認証に成功したか否かが判定され、ユーザ認証に成功した場合には、ステップ３０４（Ｓ３０４）の処理に進む。一方、ユーザ認証に失敗した場合には、ステップ３０２（Ｓ３０２）の処理を繰り返す。
ステップ３０４〜３２０（Ｓ３０４〜３２０）において、前述した図９のステップ１０２〜１１８（Ｓ１０２〜１１８）と同じ処理が行われる。
ステップ３２２（Ｓ３２２）において、ステップ３２０（Ｓ３２０）で押下されたボタンの種別が、前述した次原稿ありボタン１４２、次原稿なしボタン１４４、キャンセルボタン１４６、保存ボタン１４８及び認証解除ボタン１６２のいずれであるかが判定される。
【００６２】
次原稿ありボタン１４２が選択されたと判定された場合には、ステップ３１２（Ｓ３１２）の処理に戻る。次原稿なしボタン１４４が選択されたと判定された場合には、ステップ３２４（Ｓ３２４）の処理に進む。キャンセルボタン１４６が選択されたと判定された場合には、ステップ３２６（Ｓ３２６）の処理に進む。保存ボタン１４８又は認証解除ボタン１６２が選択されたと判定された場合には、ステップ３２８（Ｓ３２８）の処理に進む。
ステップ３２８（Ｓ３２８）において、ステップ３０２（Ｓ３０２）で認証されたユーザ名、ステップ３１０（Ｓ３１０）で受け付けられたパラメータ、ステップ３１４（Ｓ３１４）で読み込まれた原稿に基づく画像データ及びこれらの組合せを識別する識別子（例えば、ステップ３２０（Ｓ３２０）で保存ボタンが押下された日時など）が保存され、認証が解除された後、ステップ３３０（Ｓ３３０）の処理に進む。
ステップ３３０，３３２において、前述した図１１のステップ２２８，２３０（Ｓ２２８，２３０）と同じ処理が行われる。
ステップ３３４において、図１３に示したユーザ別復元画面が表示され、ステップ３３６の処理に進む。
ステップ３３６，３３８（Ｓ３３６，３３８）において、前述した図１１のステップ２３４，２３８（Ｓ２３４，２３８）と同じ処理が行われる。
【００６３】
以上、操作パネル９４が非接触式カードリーダによる認証機能を有する場合を説明したが、非接触式カードリーダは、画像処理装置１０に外付けされていてもよい。
また、操作パネル９４の認証機能は、例えば、図１５Ａに示す第１の認証画面に入力されるユーザ名及び図１５Ｂに示す第２の認証画面に入力されるパスワードの組み合わせが、予め登録されているか否かを判定するユーザ認証として実現されてもよい。
【００６４】
図１５Ａは第１の認証画面を示す。前述のメニュー画面において、認証ボタン（不図示）を押下することにより、メニュー画面は、第１の認証画面に切り替えられる。
押しボタン部９６は、メニュー画面と同じく、テンキー１００、クリアボタン１０２及びスタートボタン１０４を有する。タッチパネル表示部９８は、ユーザ名設定部１６８、キーボードボタン１７０、取消ボタン１７２及び確定ボタン１７４を有する。
ユーザ名設定部１６８は、テンキー１００及びキーボードボタン１７０からの入力を受け付け、ユーザ名として設定及び表示する。
キーボードボタン１７０は、漢字、カナ及びアルファベットの入力を可能にする。
取消ボタン１７２は、認証をキャンセルし、メニュー画面に切り替える。
確定ボタン１７４は、設定表示されたユーザ名を確定し、後述する第２の認証画面に切り替える。
【００６５】
図１５Ｂは第２の認証画面を示す。前述の第１の認証画面で確定ボタン１７４を押下することにより、第１の認証画面は、第２の認証画面に切り替えられる。
押しボタン部９６は、上記の第１の認証画面と同じく、テンキー１００、クリアボタン１０２及びスタートボタン１０４を有する。タッチパネル表示部９８は、パスワード設定部１７６、キーボードボタン１７０、取消ボタン１７２及び確定ボタン１７４を有する。
パスワード設定部１７６は、テンキー１００及びキーボードボタン１７０からの入力を受け付け、パスワードとして設定及び表示する。
確定ボタン１７４は、設定表示されたパスワードを確定し、第１の認証画面で確定されたユーザ名及びこのパスワードの組み合わせが、前述のシステムメモリ５４及びネットワークを介して接続される認証サーバ（不図示）などに予め登録されている情報と一致するか否かを判定する。一致すると判定された場合には、正規のユーザとして認める。一方、そうでない場合には、正規のユーザとして認めない。
【００６６】
[第４の実施形態]
以下、本発明の第４の実施形態を説明する。
第３の実施形態においては、前述の保存ボタン１４８及び認証解除ボタン１６２を押下した場合及び一定時間を経過した場合に、正規のユーザの認証を無効にしたが、セキュリティ及びユーザビリティの観点から、一定時間内であっても、正規のユーザの認証を無効にすることが望ましい。
そこで、本実施形態における画像処理装置１０は、例えば、ある正規のユーザ（ユーザＡ）がボタンの押下を忘れて画像処理装置１０を離れた場合などに、一定時間内であっても、異なるユーザ（ユーザＢ）による認証が開始されると、ユーザＡの認証を無効にする。
【００６７】
図１６は、本発明の第４の実施形態における動作を説明するフローチャートである。
ステップ４００〜４１８（Ｓ４００〜４１８）において、前述した図１４のステップ３００〜３１８（Ｓ３００〜３１８）と同じ処理が行われる。
ステップ４２０（Ｓ４２０）において、ステップ４０２（Ｓ４０２）で認証されたユーザとは異なるユーザの認証がされたか否かが判定される。異なるユーザの認証がされたと判定された場合には、ステップ４３０（Ｓ４３０）の処理に進む。一方、そうでない場合には、ステップ４２２（Ｓ４２２）の処理に進む。
ステップ４２２〜４４０（Ｓ４２２〜４４０）において、前述した図１４のステップ３２０〜３３８（Ｓ３２０〜３３８）と同じ処理が行われる。
【００６８】
[第５の実施形態］
以下、本発明の第５の実施形態を説明する。
第４の実施形態においては、ユーザ認証後、前述した復元ボタン１５８が押下された場合に、認証されたユーザによって保存されたパラメータ及び画像データがあるか否かを判断したが、ユーザビリティの観点から、認証されたユーザが保存したパラメータ及び画像データがあれば、復元ボタン１５８が押下されなくとも、このパラメータおよび画像データを復元することが望ましい。
そこで、本実施形態における画像処理装置１０は、ユーザ認証後、認証されたユーザによって保存されたパラメータ及び画像データがある場合には、このパラメータ及び画像データを復元する。
【００６９】
図１７は、本発明の第５の実施形態における動作を説明するフローチャートである。
ステップ５００，５０２（Ｓ５００，５０２）において、上記の図９のステップ１００，１０２（Ｓ１００，１０２）と同じ処理が行われる。
ステップ５０４（Ｓ５０４）において、ステップ５０２（Ｓ５０２）で認証されたユーザが、以前にパラメータ及び画像データを保存したか否かを判断する。具体的には、認証されたユーザ名（又は他のユーザ識別情報）で保存されたパラメータ及び画像データが存在するか否かを判断する。
ステップ５０２（Ｓ５０２）で認証されたユーザが過去に保存したパラメータ及び画像データが存在しない場合には、ステップ５０６（Ｓ５０６）の処理に進み、そうでない場合には、ステップ５３６（Ｓ５３６）の処理に進む。
ステップ５０６（Ｓ５０６）において、ステップ５０２（Ｓ５０２）で認証されたユーザが新たな処理を実行するためのサービスを選択するためのメニュー画面を表示し、ステップ５０８（Ｓ５０８）の処理に進む。
ステップ５０８〜５３４（Ｓ５０８〜５３４）において、前述した図１６のステップ４０６〜４３２（Ｓ４０６〜４３２）と同じ処理が行われる。
一方、ステップ５３６（Ｓ５３６）において、ステップ５０２（Ｓ５０２）で認証されたユーザが以前に保存したパラメータ及び画像データが、例えば、図１３に示したユーザ別復元画面に一覧表示され、ステップ５３８（Ｓ５３８）の処理に進む。
ステップ５３８，５４０（Ｓ５３８，５４０）において、前述した図１６のステップ４３８，４４０（Ｓ４３８，４４０）と同じ処理が行われる。
【００７０】
以上、第５の実施形態において、認証されたユーザがパラメータ及び画像データの複数の組合せを保存する場合を想定して説明したが、例えば、認証されたユーザがパラメータおよび画像データの組合せを一つしか保存していない場合や、一人のユーザに対してパラメータ及び画像データの組合せを一つだけ保存することを認める仕様になっている場合には、ステップ５３６，５３８（Ｓ５３６，５３８）を省略してステップ５４０（Ｓ５４０）に進んでもよい。このような場合、パラメータ及び画像データを復元するとき、ユーザに対して、復元の是非を確認して入力させる画面を表示して、復元する旨の入力があった場合に、復元するようにしてもよい。
【００７１】
なお、上記５つの実施形態では、原稿を読み取って生成された画像データに対して、ファックス送信を行うことを想定して説明したが、本発明が適用される画像形成処理は、ファックス送信に限られるものではなく、他の送信手段（例えば、メール送信など）、画像データを指定されたフォルダや記憶媒体、サーバ等に保存する保存処理、画像データを媒体上に記録する複写処理など、あらゆる処理に用いることができることは言うまでもない。
さらに、図２では、画像形成装置のスキャンユニット１４が自動原稿送り装置４０を有するものとして描かれているが、当然のことながら、このような自動原稿送り装置を具備しない画像形成装置に対しても適用可能である。このような場合には、プラテン上にセットされた原稿に基づいて原稿を読み取り、画像データを生成すればよく、プラテン上にセットする原稿を１枚ずつ交換するタイミングで、そのときのパラメータおよびそれまでに読み取った画像データの保存ができるようになっていればよい。
【図面の簡単な説明】
【００７２】
【図１】従来のタッチパネルディスプレイを示す図である。
【図２】画像形成装置１０の全体構成を示す図である。
【図３】画像形成装置１０の制御回路を示す図である。
【図４】画像形成装置１０で実行されるジョブ管理プログラムを示す図である。
【図５】ＵＩ装置５０の操作パネル９４が表示するメニュー画面を示す図である。
【図６】ＵＩ装置５０の操作パネル９４が表示するパラメータ設定画面を示す図である。
【図７】ＵＩ装置５０の操作パネル９４が表示する原稿読込画面を示す図である。
【図８】ＵＩ装置５０の操作パネル９４が表示するサービス実行画面を示す図である。
【図９】本発明の第１の実施形態における動作を説明するフローチャートを示す図である。
【図１０】ＵＩ装置５０の操作パネル９４が表示する復元画面を示す図である。
【図１１】本発明の第２の実施形態における動作を説明するフローチャートを示す図である。
【図１２】ユーザを認証する機能を備えた操作パネル９４を示す図である。
【図１３】ＵＩ装置５０の操作パネル９４が表示する復元画面を示す図である。
【図１４】本発明の第３の実施形態における動作を説明するフローチャートを示す図である。
【図１５Ａ】ＵＩ装置５０の操作パネル９４が表示する第１の認証画面を示す図である。
【図１５Ｂ】ＵＩ装置５０の操作パネル９４が表示する第２の認証画面を示す図である。
【図１６】本発明の第４の実施形態における動作を説明するフローチャートを示す図である。
【図１７】本発明の第５の実施形態における動作を説明するフローチャートを示す図である。
【符号の説明】
【００７３】
１０    画像形成装置
１２    プリントユニット
１４    スキャンユニット
１６    記録媒体供給トレイ
１８    供給ヘッド
２０    記録媒体供給路
２２    プリントエンジン
２４    感光体
２６    中間転写ベルト
２８    二次転写ロール
３０    定着装置
３２    記録媒体排出路
３４    排出トレイ
３６    反転装置
３８    記録媒体反転路
４０    自動原稿送り装置
４２    プラテン
４４    読取部
４６    原稿セット検出器
４８    プラテンカバー開閉検出器
５０    ＵＩ装置
５２    ＣＰＵ
５４    システムメモリ
５６    画像蓄積メモリ
５８    入出力インターフェース
６０    スキャンインターフェース
６２    プリントインターフェース
６４    ネットワーク通信インターフェース
６６    モデムインターフェース
６８    入力解析部
７０    ジョブ管理部
７２    ジョブ管理テーブル
７４    実行中キュー
７６    実行待ちキュー
７８    実行保留キュー
８０    ジョブ実行部
８２    スキャン制御部
８４    プリント制御部
８６    ネットワーク通信制御部
８８    モデム制御部
９０    イベント検出部
９２    ＵＩ画像生成部
９４    操作パネル
９６    押しボタン部
９８    タッチパネル表示部
１００  テンキー
１０２  クリアボタン
１０４  スタートボタン
１０６  サーボスボタン表示部
１０８  コピーボタン
１１０  ファックスボタン
１１２  スキャナボタン
１１４  復元ボタン
１１６  サービス表示部
１１８  基本タブ
１２０  読取方法タブ
１２２  送信方法タブ
１２４  その他タブ
１２６  宛先入力部
１２８  送信濃度選択ボタン
１３０  両面原稿選択ボタン
１３２  原稿画質選択ボタン
１３４  送信画質選択ボタン
１３６  閉じるボタン
１３８  パラメータ表示部
１４０  ページ数表示部
１４２  次原稿なしボタン
１４４  次原稿ありボタン
１４６  キャンセルボタン
１４８  保存ボタン
１５０  実行サービス表示部
１５２  ページ数表示部
１５４  キャンセルボタン
１５６  復元ジョブ一覧
１５８  復元ボタン
１６０  認証部
１６２  認証解除ボタン
１６４  復元ジョブ表示部
１６６  復元ジョブ一覧
１６８  ユーザ名入力部
１７０  キーボードボタン
１７２  取消ボタン
１７４  確定ボタン
１７６  パスワード入力部
【図１】
2010103698.tif 000003
【図２】
2010103698.tif 000004
【図３】
2010103698.tif 000005
【図４】
2010103698.tif 000006
【図５】
2010103698.tif 000007
【図６】
2010103698.tif 000008
【図７】
2010103698.tif 000009
【図８】
2010103698.tif 000010
【図９】
2010103698.tif 000011
【図１０】
2010103698.tif 000012
【図１１】
2010103698.tif 000013
【図１２】
2010103698.tif 000014
【図１３】
2010103698.tif 000015
【図１４】
2010103698.tif 000016
【図１５Ａ】
2010103698.tif 000017
【図１５Ｂ】
2010103698.tif 000018
【図１６】
2010103698.tif 000019
【図１７】
2010103698.tif 000020